(57)【特許請求の範囲】
【請求項１】
天板付き家具における天板の側方端部にディスプレイを配置するディスプレイ用スタンドであって、
前記ディスプレイの背部に取り付けられる背部取付具、および該背部取付具が固定されるフレーム部材、を備え、
前記フレーム部材は、
前記ディスプレイに取り付けられた前記背部取付具が締結されることによって該ディスプレイを支持するヘッド部と、
前記ヘッド部の下部に位置し、前記天板の側端部を支持する脚に該天板の幅方向に沿って穿設されるとともに該天板の側方外部に向かって開放された挿入孔に挿着される固定片をフレーム面外方向に向けて突設するフレームロア部と、
を有し、前記天板の側方端部に沿って起立姿勢で固定され、
前記ヘッド部は、上下に離間されて且つ水平方向に横架された二本の横架部材を有し、
前記背部取付具は、前記ディスプレイの背部に左右に離間されて且つ上下方向沿って取り付けられる複数の垂直支持部材からなるとともに、各垂直支持部材の両端部には前記横架部材に着脱自在に係止される係止部が設けられており、
前記垂直支持部材の各々には、該垂直支持部材を前記ディスプレイの背部に固定するために使用する第一の固定孔が長手方向に沿って複数設けられ、
前記横架部材のうちの相対的に下方に配置される下方横架部材には、該下方横架部材に前記垂直支持部材の下端部に設けた前記係止部を固定するために使用する第二の固定孔が長手方向に沿って複数設けられている、
ディスプレイ用スタンド。
【請求項２】
前記ヘッド部において、前記垂直支持部材の上端側に設けられる前記係止部は、前記横架部材のうち相対的に上方に配置される上方横架部材の上面に引っ掛けられる係止用フックであって、
前記垂直支持部材において前記係止用フックの近傍部位には、該係止用フックを前記上方横架部材の上面に引っ掛ける際に該上方横架部材と干渉することを防止するための切り欠き部が設けられており、前記フレーム部材における前記ヘッド部の正面側と背面側の何れからも前記係止用フックを前記上方横架部材に係止可能に構成されている、
請求項１に記載のディスプレイ用スタンド。
【請求項３】
天板付き家具における天板の側方端部にディスプレイを配置するディスプレイ用スタンドであって、
前記ディスプレイの背部に取り付けられる背部取付具、および該背部取付具が固定されるフレーム部材、を備え、
前記フレーム部材は、
前記ディスプレイに取り付けられた前記背部取付具が締結されることによって該ディスプレイを支持するヘッド部と、
前記ヘッド部の下部に位置し、前記天板の側端部を支持する脚に該天板の幅方向に沿って穿設されるとともに該天板の側方外部に向かって開放された挿入孔に挿着される固定片をフレーム面外方向に向けて突設するフレームロア部と、
を有し、前記天板の側方端部に沿って起立姿勢で固定され、
前記ヘッド部は、上下に離間されて且つ水平方向に横架された二本の横架部材を有し、
前記背部取付具は、前記ディスプレイの背部に左右に離間されて且つ上下方向沿って取り付けられる複数の垂直支持部材からなるとともに、各垂直支持部材の両端部には前記横架部材に着脱自在に係止される係止部が設けられており、
前記ヘッド部において、前記垂直支持部材の上端側に設けられる前記係止部は、前記横架部材のうち相対的に上方に配置される上方横架部材の上面に引っ掛けられる係止用フックであって、
前記垂直支持部材において前記係止用フックの近傍部位には、該係止用フックを前記上方横架部材の上面に引っ掛ける際に該上方横架部材と干渉することを防止するための切り欠き部が設けられており、前記フレーム部材における前記ヘッド部の正面側と背面側の何れからも前記係止用フックを前記上方横架部材に係止可能に構成されている、
ディスプレイ用スタンド。
【請求項４】
前記フレーム部材における前記ヘッド部の正面側と背面側の何れからも取り付け可能に構成された、該ヘッド部を覆うためのヘッド側化粧パネルを、更に備える、請求項２又は３に記載のディスプレイ用スタンド。
【発明の詳細な説明】
【技術分野】
【０００１】
本発明は、デスクやテーブル等の天板付き家具における天板の側方端部にディスプレイを取り付けるためのディスプレイ用スタンドに関する。
【背景技術】
【０００２】
従来、オフィス等の比較的広い執務空間におけるデスクのレイアウトとして、複数台のデスクを背中合わせ（対向配置）、あるいは並列に連設することでデスクの集合体（いわゆる、デスクの島）を形成する島型レイアウトが一般的である。また、近年では、複数の天板を側方へ連設する組み立てデスクが各種提供されている（例えば、特許文献１を参照。）。
【０００３】
上記のように形成されたデスクの集合体や組み立てデスクは、複数人のユーザが同時に作業を行うことができ、空間の効率的利用を図ることができるというメリットがある。また、近年ではデジタルコンテンツの普及とともに、大型ディスプレイをオフィス空間に導入するケースが増えている。その場合、デスク集合体の側方端にディスプレイを設置した自立型のディスプレイ用スタンドを配置することで、デスク集合体を打ち合わせスペースとして活用する利用形態も増えている。
【先行技術文献】
【特許文献】
【０００４】
【特許文献１】特開２００９−２６１８４１号公報
【発明の概要】
【発明が解決しようとする課題】
【０００５】
ところで、ディスプレイ用スタンドはディスプレイを支持する機能の他、その転倒を防止する機能をも備える必要がある。従って、自立型のスタンドは安定性を確保するために床への投影面積がある程度大きくなってしまう欠点があり、その結果、省スペース化が困難となるという問題があった。また、ディスプレイ用スタンドの背面側にスタンドの脚が張り出している場合には、デスク脇を通行する歩行者の円滑な通行が阻害されることが懸念される。また、このようなデスク等の天板側端部に単に自立型のスタンドを配置したのでは、周囲のオフィス家具、用具、機器、什器等との外観上の調和が図れているとは言い難い。
【０００６】
本発明は、上記した問題に鑑みてなされてものであって、その目的は、デスクやテーブル等の天板付き家具における天板の側方端部にディスプレイを配置する際に、床への投影面積が小さく、且つ、周囲との外観上の調和を図ることの可能なディスプレイ用スタンドを提供することにある。
【課題を解決するための手段】
【０００７】
上記課題を解決するため本発明は以下の手段を採用する。すなわち、本発明は、デスクやテーブル等の天板付き家具における天板の側方端部にディスプレイを配置するディスプレイ用スタンドであって、前記ディスプレイの背部に取り付けられる背部取付具、および該背部取付具が固定されるフレーム部材、を備え、前記フレーム部材は、前記ディスプレイに取り付けられた前記背部取付具が締結されることによって該ディスプレイを支持するヘッド部と、前記ヘッド部の下部に位置し、前記天板の側端部を支持する脚に該天板の幅方向に沿って穿設されるとともに該天板の側方端外部に向かって開放された挿入孔に挿着される固定片をフレーム面外方向に向けて突設するフレームロア部と、を有し、前記天板
の側方端部に沿って起立姿勢で固定される、ディスプレイ用スタンドである。
【０００８】
本発明に係るディスプレイ用スタンドにおいては、ディスプレイを保持するフレーム部材が天板の側方端部に直接取り付けられることになる。その際、このフレーム部材は、天板の側方端部に沿って、即ち、デスクやテーブル等の天板付き家具の奥行き方向に沿って起立姿勢で固定されるため、床への投影面積を小さくすることができる。故に、本発明が適用されるデスクの設置空間の有効床面積が狭められることをできるだけ回避することができ、設置スペースの有効活用に資することができる。そして、本発明においては、ディスプレイ用スタンドがデスク等の天板から外方に向かってが大きく張り出すことがなく、デスクやテーブル等の天板付き家具の脇を通行する歩行者（通行人）の円滑な通行を妨げない。更には、周囲のオフィス家具、用具、機器、什器等との外観上、意匠上の調和を図ることも可能である。
【０００９】
また、前記ヘッド部は、上下に離間されて且つ水平方向に横架された二本の横架部材を有し、前記背部取付具は、前記ディスプレイの背部に左右に離間されて且つ上下方向沿って取り付けられる複数の垂直支持部材からなるとともに、各垂直支持部材の両端部には前記横架部材に着脱自在に係止される係止部が設けられていても良い。このように、ディスプレイの背部に取り付けた垂直支持部材の係止部を二本の横架部材にそれぞれ係止することで、ディスプレイをフレーム部材のヘッド部に容易に取り付けることができる。
【００１０】
また、前記垂直支持部材の各々には、該垂直支持部材を前記ディスプレイの背部に固定するために使用する第一の固定孔が長手方向に沿って複数設けられ、前記横架部材のうちの相対的に下方に配置される下方横架部材には、該下方横架部材に前記垂直支持部材の下端部に設けた前記係止部を固定するために使用する第二の固定孔が長手方向に沿って複数設けられていても良い。これによれば、例えばディスプレイの背部に形成されるネジ孔の配置パターンがメーカー等によって相違しても（まちまちであっても）、ディスプレイへの垂直支持部材の固定がより確かなものとすることができるし、また、垂直支持部材のフレーム部材（より詳しくは、下方横架部材）への締結をより確実なものとすることができる。
【００１１】
また、前記ヘッド部において、前記垂直支持部材の上端側に設けられる前記係止部は、前記横架部材のうち相対的に上方に配置される上方横架部材の上面に引っ掛けられる係止用フックであって、前記垂直支持部材において前記係止用フックの近傍部位には、該係止用フックを前記上側横架部材の上面に引っ掛ける際に該上側横架部材と干渉することを防止するための切り欠き部が設けられており、前記フレーム部材における前記ヘッド部の正面側と背面側の何れからも前記係止用フックを前記上側横架部材に係止可能に構成されていても良い。これによれば、ディスプレイのモニタ面をデスクやテーブル等の天板付き家具の天板に対面するような向きに設置することもできるし、モニタ面を天板とは逆方向に向けてディスプレイを設置することもできる。故に、本発明に係るディスプレイ用スタンドが適用される天板付き家具を使用するユーザの幅広いニーズに応えることができ、その利便性が高いものとなる。
【００１２】
また、前記フレーム部材における前記ヘッド部の正面側と背面側の何れからも取り付け可能に構成された、該ヘッド部を覆うためのヘッド側化粧パネルを、更に備えていても良い。これによれば、ディスプレイのモニタを天板に向けて設置する場合と、モニタ面を天板とは逆方向に向けて設置する場合の何れにおいても、ディスプレイの背面側に位置するヘッド部を露出させることなく覆い隠すことができる。
【００１３】
また、本発明は、上述のディスプレイ用スタンドを備えるデスク、あるいはデスクの集合体として捉えることも可能である。
【発明の効果】
【００１４】
本発明によれば、デスクやテーブル等の天板付き家具における天板の側方端部にディスプレイを配置する際に、床への投影面積が小さく、且つ、周囲との外観上の調和を図ることの可能なディスプレイ用スタンドを提供できる。
【図面の簡単な説明】
【００１５】
【図１】実施形態に係るデスク集合体の斜視図である。
【図２】実施形態に係るデスク集合体の斜視図である。
【図３】実施形態に係るデスク集合体を形成する一のデスクの分解斜視図である。
【図４】実施形態に係るディスプレイ用スタンドの斜視図である。
【図５】実施形態に係るディスプレイ用スタンドの分解斜視図である。
【図６】実施形態に係るディスプレイ用スタンドをデスク集合体に固定した状態における側面図である。
【図７】実施形態に係るディスプレイ用スタンドを分解した状態の縦断面図である。
【図８】実施形態の変形例１に係るデスク集合体の斜視図である。
【図９】実施形態の変形例１に係るデスク集合体の斜視図である。
【図１０】実施形態の変形例１に係るディスプレイ用スタンドを分解した状態の縦断面図である。
【図１１】実施形態の変形例２に係るデスクの斜視図である。
【図１２】実施形態の変形例２に係るディスプレイ用スタンドをデスク集合体に固定した状態における側面図である。
【図１３】実施形態に係るデスク集合体のレイアウトを例示する図である。
【発明を実施するための形態】
【００１６】
ここで、本発明に係るディスプレイ用スタンドの実施形態について、図面に基づいて説明する。尚、本実施形態に記載されている構成要素の寸法、材質、形状、その相対配置等は、特に特定的な記載がない限りは、発明の技術的範囲をそれらのみに限定する趣旨のものではない。
【００１７】
図１および図２は、本実施形態に係るディスプレイ用スタンドが適用されるデスク１ａの集合体（以下、「デスク集合体」という）１の斜視図である。本明細書において、使用者が着席する側をデスク正面側とし、その奥側をデスク背面側とする。なお、両図は同じデスク集合体１を異なる視点から眺めたものである。
【００１８】
図１および図２に示すデスク集合体１は、背中合わせに配置された一対のデスク１ａが対になって形成されている。個々のデスク１ａは、通常のＯＡ機器対応型のものである。図３は、デスク集合体１を形成する一のデスク１ａの分解斜視図である。デスク１ａは、ユーザ（使用者）の作業場となる天板５を有し、その両側に天板５を支える脚２が設けられている。脚２は、脚側板２ａの上下にステー２ｂ、およびベース２ｃを備えたもので、ステー２ｂの上面に天板５の側方端部を支持する天板支持部２ｄが形成されている。なお、本実施形態では、各デスク１ａのそれぞれにおける左右端に脚２を設けているが、一対のデスク１ａに共用の脚を、デスク集合体１の両端に設けても良い。また、左右の脚２において、脚側板２ａおよびステー２ｂの上端にはそれぞれ一箇所ずつ上向きコ字型の切り欠き部７０ａ，７０ｂが形成されている。この切り欠き部７０ａ，７０ｂはすべて同形状を有しており、天板５の幅方向に沿って設けられている。また、図示のように、切り欠き部７０ａは脚側板２ａを、切り欠き部７０ｂはステー２ｂを、それぞれの部材厚さ方向に貫通するように設けられている。
【００１９】
各デスク１ａにおいて、左右の脚２の後部間には幕板３が結合されており、これら脚２
および幕板３の上面に天板５が載置固定されている。天板５は、平面視略矩形状を有している。また、各デスク１ａにおける天板５の下方には、余長ケーブルやコンセント類を載置して配線を処理するため配線収納部として機能する配線受け６が配置されている。この配線受け６は、幕板３に取り付けられており、その受け皿部分に余長ケーブルやコンセント類を載せておくことができる。
【００２０】
デスク集合体１は、一組のデスク１ａがそのデスク背面側同士を突き合わせた状態で配置され、場合によっては連結されることで形成される。よって、デスク１ａの背面側部分は、デスク集合体１においてはその中央部分に位置する。そして、ユーザはデスク１ａの正面側に着席して、天板５上に置かれたコンピュータ等の電子機器を使用して作業を行う。また、図１に示すデスク１ａは、主に脚２と天板５によってデスクとしての機能を果たすが、その他に引き出し等の要素を有し、デスクとしての機能を拡充しても構わない。また、脚２や天板５の形状についても図示の形状に限られるものではない。
【００２１】
デスク１ａの背面側、すなわち、デスク集合体１の中央部には、天板５の上方から下方に配置される配線受け６へのアクセスを可能とするためのアクセス開口部が形成されている。デスク１ａのユーザは、天板５上のＯＡ機器から延びる電源ケーブルや、ＬＡＮケーブルなどの各種配線を、配線アクセス開口７を通じて自由に出し入れすることができる。そして、デスク１ａにおける外観上の問題や、デスク１ａの机上面すなわち天板５の上面で使用している物品の落下をふせぐために、配線アクセス開口７を開閉自在にカバーユニットＵによって覆うようにしている。
【００２２】
図３に示すように、カバーユニット１０は、エンドケース１１、カバー部材１２、中間受け具１３を含んで構成されるユニットである。カバー部材１２は、アクセス開口部における長辺方向（長手方向）の両端部に配置されるエンドケース１１及び中間受け具１３によってアクセス開口部を開閉自在に支持されている。図１や図２は、このアクセス開口部をカバーユニット１０で覆っている状態を図示しているのであるが、アクセス開口部はデスク１ａの幅方向、すなわち天板５の幅方向に沿って、デスク１ａの略全幅に亘って形成されている。
【００２３】
図１、図２に示したように本実施形態におけるデスク集合体１は、デスク１ａの側方端部にディスプレイ用スタンド２０を介してディスプレイ９が設置されている。この実施形態では、ディスプレイ９のモニタ９ａがデスク１ａ側に面するように配置されている。
【００２４】
以下、本実施形態に係るディスプレイ用スタンド２０の詳細について説明する。図４に本実施形態に係るディスプレイ用スタンド２０の斜視図を示し、図５にその分解斜視図を示す。図６は、ディスプレイ用スタンド２０をデスク集合体１の側方端部に固定した状態におけるデスク集合体１の側面図である。図７は、ディスプレイ用スタンド２０を分解した状態の縦断面図である。なお、図７に示すデスク１ａの部分は、該デスク１ａの立面を表している。
【００２５】
各図に示されるように、ディスプレイ用スタンド２０は、平面型のディスプレイ９を支持、保持するためのスタンドとしての機能を有し、主にフレーム部材３０、二本の垂直支持部材４０，４０、ヘッド側化粧パネル５０、ロア側化粧パネル６０等を含んで構成される。また、図示のように、ディスプレイ用スタンド２０は、デスク１ａにおける天板５の側方端部を支持する脚２や天板５に対してデスク１ａにおける天板５の奥行き方向に沿って（すなわち、天板５の側方端部に沿うように）起立姿勢で固定される。
【００２６】
フレーム部材３０は、細長の棒状部材（例えば、角パイプ）にて形成された二本の柱状部材３１ａ，３１ｂを、これに対して直交方向に横架される第一乃至第四横架部材（梁状
部材ともいえる）３２〜３５にて連結することで枠型に形成されている。本明細書では、ディスプレイ用スタンド２０がデスク集合体１（デスク１ａ）に固定された状態のときに該デスク集合体１に対向する方の面を「正面」として定義し、逆側を「背面」として定義する。例えば、図１では、ディスプレイ９はディスプレイ用スタンド２０に背を向けて取り付けられている。また、フレーム部材３０における上下、左右、水平、垂直等の各方向については、ディスプレイ用スタンド２０を起立姿勢でデスク１ａの脚２に固定している状態を基準として記す。
【００２７】
フレーム部材３０における第一乃至第四横架部材の各々は、断面視略コ字状を有する細長いチャンネル部材（コ字状のレールとも言える）によって形成されており、ウェブ部３６と、このウェブ部３６の両端から直交方向に立設する一対の対向するフランジ部３７を有する。第一乃至第四横架部材３２〜３５は、フレーム部材３０の起立姿勢を基準とした場合に第一横架部材３２が最も上方に位置し、第四横架部材３５が最も下方に位置するように配置されている。また、第一乃至第四横架部材３２〜３５の何れも、ウェブ部３６が垂直方向、一対のフランジ部３７が水平方向となる姿勢で柱状部材３１ａ，３１ｂに対して接合（例えば、溶接又は接着など）されている。
【００２８】
フレーム部材３０は、ヘッド部３０Ａと、このヘッド部３０Ａの下方に位置するフレームロア部３０Ｂの二つの領域に大きく分けられる。ヘッド部３０Ａは、主としてディスプレイ９を支持する役割を担い、第一および第二横架部材３２，３３を含んでいる。一方、フレームロア部３０Ｂは、主としてフレーム部材３０をデスク１ａの脚２に固定する役割を担い、第三および第四横架部材３４，３５を含んでいる。
【００２９】
フレーム部材３０に係るヘッド部３０Ａについて説明すると、第二横架部材３３における上側のフランジ部３７には、その長手方向に所定間隔（所定ピッチ）で複数のネジ孔（ネジ溝）３３ａが穿設されている。ここで、第一横架部材３２および第二横架部材３３は、二つの垂直支持部材４０，４０を支持するための支持部材として機能する。
【００３０】
各垂直支持部材４０，４０は、断面視略コ字状を有する細長いチャンネル部材（コ字状レールともいえる）からなる本体部４１と、本体部４１の両端部に形成されるとともにフック形状を有する上端側係止用フック４２、下端側係止用フック４３とから構成されている。各垂直支持部材４０，４０における本体部４１には、その長手方向に複数のネジ挿通孔４４が所定の間隔で穿設されている。本体部４１を構成する部位のうち、ネジ挿通孔４４が設けられる部位をウェブ部４１ａと称し、ウェブ部４１ａの側縁からこれに垂直に立設する壁をフランジ部４１ｂと称する。各垂直支持部材４０，４０は、ネジ挿通孔４４に挿通させたネジをディスプレイ９の背部（背面）９ｂに設けられたネジ孔に螺合することで、ディスプレイ９に固定される。具体的には、二つの垂直支持部材４０，４０をディスプレイ９の背部９ｂの左右に離間しつつ、ディスプレイ９における背部９ｂの上下方向に沿って取り付けるように構成されている。本実施形態においては、各垂直支持部材４０，４０に設けられた複数のネジ挿通孔４４が、本発明における第一の固定孔に対応している。
【００３１】
また、図７に示すように、垂直支持部材４０，４０における上端側係止用フック４２および下端側係止用フック４３は、逆Ｌ字形、あるいは下向きの略コ字状に形成されている。そして、上端側係止用フック４２の下面と下端側係止用フック４３の下面との寸法は、第一横架部材３２の上面と第二横架部材３３の上面との距離と略同じか、若干大きめに設定されている。これにより、上端側係止用フック４２を第一横架部材３２に対し、また、下端側係止用フック４３を第二横架部材３３に対して容易かつ確実に引っ掛けることができる。つまり、垂直支持部材４０，４０を第一および第二横架部材３２，３３に対して着脱自在に係止することができる。本実施形態においては第一横架部材３２が本発明におけ
る上方横架部材に対応している。
【００３２】
垂直支持部材４０，４０における下端側係止用フック４３に設けられる水平面、すなわち第二横架部材３３の上面に被せられる面には、垂直支持部材４０，４０をフレーム部材３０に締結する際に利用するネジ挿通孔が形成されている。本実施形態では、上記二つの垂直支持部材４０，４０が本発明における背部取付具に対応している。また、図７に示すように、垂直支持部材４０，４０の本体部４１における上端側係止用フック４２との境界近傍においては、本体部４１におけるフランジ部４１ｂ，４１ｂに切り欠き部４６，４６が形成されている。各フランジ部４１ｂ，４１ｂに形成される一組の切り欠き部４６，４６は、互いに対向している。これら切り欠き部４６，４６は、上端側係止用フック４２を第一横架部材３２に引っ掛ける際に、第一横架部材３２と干渉しないようにフランジ部４１ｂ，４１ｂを退避させるための空間としての技術的な意義を有する。また、この切り欠き部４６，４６は、フレーム部材３０の正面側と背面側の何れの方向からにおいても第一横架部材３２への垂直支持部材４０，４０の係止を可能としている。
【００３３】
次に、フレーム部材３０におけるフレームロア部３０Ｂについて説明する。図示のように、第四横架部材３５における両端部近傍、すなわち柱状部材３１ａ，３１ｂとの接合部近傍には、上向きの略コ字状に形成された係合フック部３８，３８が、第四横架部材３５の下側のフランジ部３７から、フレーム部材３０の面外方向、具体的にはフレーム部材３０の正面側に突設されている。この係合フック部３８，３８は、例えば、ボルト等の締結手段を介して第四横架部材３５に締結されている。
【００３４】
一方、第三横架部材３４における両端部近傍には、Ｌ形状を有するＬ型治具３９，３９がボルトなどの締結手段を介して取り付けられている。これら二つのＬ型金物３９，３９は、第四横架部材３５に設けられる係合フック部３８，３８がフレーム部材３０からその面外に突出するのと同方向、すなわちフレーム部材３０の正面側に突設される固定片３９ａを有している。この固定片３９ａは、いわゆる平板形状を有しており、起立姿勢にあるフレーム部材３０に対して水平な姿勢で設けられている。また、この固定片３９には、ネジを挿通するネジ挿通孔３９ｂが設けられている。
【００３５】
図６に示すように、デスク１ａにおける脚２の上端部と天板５の下面との境界部に、前述した切り欠き部７０ａ，７０ｂが天板５の側方外部に対して開放された状態で開口しているのが判る。つまり、切り欠き部７０ａ，７０ｂは、脚２の上端部と天板５の下面に囲まれることで形成され、天板５の幅方向に沿って穿設されるとともに天板５の側方外部に向かって開放された孔である。この孔には、後述するように、フレーム部材３０の第三横架部材３４に設けた固定片３９ａを挿入する挿入孔であり、以下、「挿入孔７０ａ，７０ｂ」と称する。本実施形態では、左右の脚２に対してそれぞれ二つの挿入孔７０ａ，７０ｂを設けているが、その数は設計によって適宜変更なし得る。
【００３６】
各挿入孔７０ａ，７０ｂは、フレーム部材３０の第三横架部材３４に設けた固定片３９ａが円滑に挿入可能な寸法を有している。また、二つのデスク１ａを背中合わせに並べた状態における挿入孔７０ａ同士の中心間距離（以下、「第一挿入孔中心間距離Ｗ１」と称する（図６を参照）。）と、デスク１ａの各々における挿入孔７０ａと７０ｂとの中心間距離（以下、「第二挿入孔中心間距離Ｗ２」と称する（図６を参照）。）は、互いに同じ寸法として設定されている。更に、フレーム部材３０側に設けられた固定片３９ａの固定片心間距離ＷＰ（図４参照）は、上記第一および第二挿入孔中心間距離Ｗ１，Ｗ２と同じ寸法に設定されている（ＷＰ＝Ｗ１＝Ｗ２）。
【００３７】
図７に示すハッチングは、脚２と天板５の境界部に設けられる挿入孔７０ａ，７０ｂを想像線として表したものである。ユーザがフレーム部材３０をデスク１ａに取り付ける際
には、第四横架部材３５における係合フック部３８，３８を、脚２の下部（図７の例では、脚側板２ａ）に嵌め込んで係合させつつ、第三横架部材３４から突設された固定片３９ａを各デスク１ａの各挿入孔７０ａに挿入し、これをデスク１ａに固定する。
【００３８】
ここで、フレーム部材の係合フック部３８，３８の嵌め込み面（水平面）の幅は、デスク１ａ側の脚側板２ａやステー２ｂの幅よりも若干幅広に設けられているため、係合フック部３８，３８を脚２の下端に簡単に嵌め込むことが可能である。また、上記のように固定片心間距離ＷＰと、第一挿入孔中心間距離Ｗ１を同寸法に設定したので、固定片３９ａを各デスク１ａの挿入孔７０ａに円滑に挿入することが可能である。
【００３９】
天板５の下面（裏面）には、フレーム部材３０側の固定片３９ａがデスク１ａ側の挿入孔７０ａに所定の挿入深さまで挿入されるとちょうど固定片３９ａのネジ挿通孔３９ｂと上下に重なる位置にネジ孔（図示省略）が設けられている。ユーザは、フレーム部材３０における固定片３９ａのネジ挿通孔３９ｂに挿通させたネジを天板５下面に設けたネジ孔に螺合させる。これによって、固定片３９ａを挿入孔７０ａに挿着されることで、フレーム部材３０が起立姿勢で天板５の側方端部に沿って、すなわち天板５の奥行き方向に沿って固定される。なお、固定片３９ａを介したフレーム部材３０のデスク１への固定は、上記の例に限られない。例えば、挿入孔７０ａに挿入した固定片３９ａを、脚２に締結しても良いし、脚２および天板５の双方に締結しても良い。
【００４０】
その後、ユーザは、ディスプレイ９の背部９ｂに上下方向に形成された適宜のネジ孔を使用して、二つの垂直支持部材４０，４０をディスプレイ９の背部９ｂの左右に離間して取り付ける。その際、ディスプレイ９の上下方向と、垂直支持部材４０，４０の上下方向を合わせて取り付けられる。ここで、ディスプレイ９の背部９ｂに形成されているネジ孔の配置パターンがメーカー等によって相違しても、垂直支持部材４０，４０における本体部４１には所定ピッチ（間隔）で多数のネジ挿通孔４４を設けるようにしたので、ディスプレイ９の背部９ｂへの垂直支持部材４０，４０の固定がより確かなものとなっている。
【００４１】
そして、ユーザは、ディスプレイ９に取り付けた垂直支持部材４０，４０を第一および第二横架部材３２，３３に係止することでフレーム部材３０に引っ掛けた後、下端側係止用フック４３に形成されたネジ挿通孔（図示省略）に挿通させたネジ４５を、第二横架部材３３に設けたネジ孔３３ａに螺合させることで、ディスプレイ９がフレーム部材３０のヘッド部３０Ａに支持、固定される。なお、第二横架部材３３における上側のフランジ部３７には、長手方向に所定間隔で複数のネジ孔３３ａを設けたので、ディスプレイ９の背部９ｂに形成されているネジ孔の配置パターンがメーカー等によって相違しても垂直支持部材４０，４０のフレーム部材３０への締結をより確実なものとすることができる。本実施形態においては第二横架部材３３に設けられた複数のネジ孔３３ａが、本発明における第二の固定孔に対応している。なお、本実施形態では、ネジ孔３３ａを第二横架部材３３における上側のフランジ部３７に形成させたがこれに限らず、垂直支持部材４０における下端側係止用フック４３と係合する部位に設けるようにすれば良い。また、第二横架部材３３が本発明における下方横架部材に対応する。
【００４２】
そして、ユーザは、フレーム部材３０における背面側に、図５に示すヘッド側化粧パネル５０およびロア側化粧パネル６０を取り付ける（組み付ける）ことで、ディスプレイ用スタンド２０の外観を一層スマートにすることができる。ロア側化粧パネル６０はフレームロア部３０Ｂの背面側を覆うための化粧パネルである。ロア側化粧パネル６０に設けられる下向きコ字状に形成された取り付け用フック６１は、第四横架部材３５に嵌め込まれることでフレーム部材３０（フレームロア部３０Ｂ）に対する取り付け位置の位置決めが容易となる。また、ロア側化粧パネル６０には、フレームロア部３０Ｂを構成する柱状部材３１ａ，３１ｂの外側面に設けられているネジ孔３１１に対応する適所にネジ挿通孔６
２が設けられており、ネジを介してロア側化粧パネル６０がフレームロア部３０Ｂに締結されるようになっている。なお、図５においては、柱状部材３１ａ側に設けたネジ孔３１１が見えていないが、柱状部材３１ｂ側と同様の位置にネジ孔３１１が設けられている。
【００４３】
フレーム部材３０のヘッド部３０Ａにおいても、該ヘッド部３０Ａを構成する柱状部材３１ａ，３１ｂの外側面にネジ孔３１２が設けられている。また、ヘッド側化粧パネル５０側には、ヘッド部３０Ａ側のネジ孔３１２に螺合させるネジを挿通させるためのネジ挿通孔５１が設けられている。ヘッド側化粧パネル５０はヘッド部３０Ａの正面側と背面側の何れの面を選択的に覆うことができるようになっている。そして、ヘッド側化粧パネル５０は、ヘッド側化粧パネル５０によってヘッド部３０Ａの正面側を覆う場合と、背面側を覆う場合の何れにおいても、ヘッド部３０Ａ側のネジ孔３１２と重なるような位置にネジ挿通孔５１が形成されている。これによれば、ディスプレイ９のモニタ９ａをデスク１ａ側に向かって設置する場合と、後述するようにモニタ９ａをデスク外方に向かって設置するような場合の何れにおいても、ディスプレイ９の背面側に位置するヘッド部３０Ａを露出させることなく覆い隠すことができる。なお、図５においては、柱状部材３１ａ側に設けたネジ孔３１２が見えていないが、柱状部材３１ｂ側と同様の位置にネジ孔３１２が設けられている。
【００４４】
以上のように、本実施形態に係るディスプレイ用スタンド２０によれば、ディスプレイ用スタンド２０が起立姿勢で天板５の側方端部に、デスクの奥行き方向に沿って（すなわち、天板５の側方端部に沿って）直接取り付けられるので、床への投影面積を小さくすることができる。その結果、オフィスの執務空間等、デスク１ａの設置空間における有効床面積を確保し、スペースの有効活用に資する。そして、デスク１ａの側部外方に向けてディスプレイ用スタンド２０が大きく張り出すことがないため、デスク１ａのすぐ脇を通行する通行人の円滑な通行を妨げることがない。また、周囲のオフィス家具、用具、機器、什器等との外観上の調和を図ることができる。
【００４５】
そして、このようなディスプレイ用スタンド２０を備えたデスク集合体１によれば、その側方端部に設置するディスプレイ９に映し出すデジタルコンテンツを基に打ち合わせ等を行うことができるので、デスク集合体をパーソナルな作業を行うワークスペースとして使用する他、打ち合わせスペースとして多面的に活用することが可能となる。また、ディスプレイ９から伸びる電源ケーブルは、カバーユニット１０におけるエンドケース１１のケーブル挿通口１１ｃからアクセス開口部７を経由して天板５の下方に配置される配線受け６に導くことで、これに載置したコンセントボックス等からディスプレイ９への電力供給を行うことができるので、非常に利便性が高い。
【００４６】
なお、本実施形態に係るディスプレイ用スタンド２０では、ディスプレイ９の背部９ｂに二つの垂直支持部材４０，４０を取り付ける形態を例に説明したが、必ずしもこれに限定されるものではなく、単一又は三つ以上の垂直支持部材４０をディスプレイ９の背部９ｂに取り付けるようにしても良い。但し、ディスプレイ９に取り付けた垂直支持部材４０をヘッド部３０Ａに係止する際の安定性、作業し易さ等を考慮すると複数の垂直支持部材４０をディスプレイ９の背部９ｂに取り付けるのが好ましく、また、取り付けの手間を考えると、特に、二つの垂直支持部材４０をディスプレイ９における背部９ｂに取り付けるのが好ましいと考えられる。
【００４７】
＜変形例１＞
上述までの実施形態では、ディスプレイ９のモニタ９ａをデスク１ａ側に面して配置していたが、図８および図９に示すように、ディスプレイ９の背部９ｂをデスク１ａに面して配置することも可能である。なお、両図は同じデスク集合体１を異なる視点から眺めたものである。係る態様の場合には、図１０に示すように、垂直支持部材４０，４０の上端
側係止用フック４２、下端側係止用フック４３を、図８に示すのと逆側、すなわちフレーム部材３０（より詳しくは、第一および第二横架部材３２，３３）の背面側から取り付けるようにすると良い。
【００４８】
上述のように、本実施形態に係る各垂直支持部材４０，４０の本体部４１における上端側係止用フック４２との境界近傍に位置するフランジ部４１ｂ，４１ｂには、上端側係止用フック４２を第一横架部材３２に引っ掛ける際に第一横架部材３２との干渉を防止するための切り欠き部４６，４６が形成されているので、フレーム部材３０の正面側と背面側の何れからも上端側係止用フック４２を第一横架部材３２に引っ掛けることができ、垂直支持部材４０，４０をフレーム部材３０に係止することができる。
【００４９】
以上のようにして本変形例では、ディスプレイ９のモニタ９ａをデスク１ａ、或いはデスク集合体１の側部外方に向かって配置することで、デスク脇の通路を通行する通行人に対して映像等のコンテンツを提供することができる。
【００５０】
上記のように、本ディスプレイ用スタンド２０では、フレーム部材３０におけるヘッド部３０Ａを覆うためのヘッド側化粧パネル５０を、ヘッド部３０Ａの正面側と背面側の何れからもヘッド部３０Ａに取り付け可能に構成しているため、本変形例のようにディスプレイ９のモニタ９ａをヘッド部３０Ａの背面側に取り付ける場合には、ロア側化粧パネル６０をフレームロア部３０Ｂの背面側を覆うように取り付ける一方、ヘッド側化粧パネル５０をヘッド部３０Ａの正面側を覆うようにして取り付けることで、ディスプレイ９の背後側に位置するヘッド部３０Ａを露出することなく覆い隠すことができる。
【００５１】
＜変形例２＞
また、上述までの実施形態では、一組のデスク１ａがそのデスク背面側同士を突き合わせた状態で配置されて形成されるデスク集合体１にディスプレイ用スタンド２０を適用する例を説明してきたが、その適用対象はこれに限られない。また、これまでの実施形態では、フレーム部材３０に突設された固定片３９ａを、各デスク１ａの挿入孔７０ａに挿着させることで、ディスプレイ９が背中合わせのデスク１ａの双方に跨るように配置される態様を説明した（例えば図１、２、８、９等を参照。）がこれに限定されるものでもない。
【００５２】
例えば、単一のデスク１ａに適用する場合や、或いは、デスク背面側同士を突き合わせることなく天板５の幅方向に複数のデスク１ａを連設する等の場合には、図１１に示すように、ディスプレイ用スタンド２０が複数の天板５を跨がないようにデスク１ａの側方端部に設置することもできる。 
【００５３】
この場合、図１２に示すように、単一のデスク１ａにおける挿入孔７０ａ，７０ｂのそれぞれにフレーム部材３０に設けた各固定片３９ａを挿着することで、単一のデスク１ａにディスプレイ用スタンド２０を支持、固定することができる。なお、このように単一のデスク１ａでディスプレイ用スタンド２０を支持、固定するディスプレイの設置態様は、図１に示すような一組のデスク１ａが背中合わせで連結されるデスク集合体１に対しても勿論適用することが可能である。即ち、この場合には、背中合わせで連結されるデスク１ａの一方側に偏ってディスプレイ９が配置されることになる。本発明に係るディスプレイ用スタンド２０によれば、デスク１ａ、或いはデスク集合体１を使用するユーザの多様なニーズ、幅広いニーズに合致したディスプレイ配置を実現することが可能となる。
【００５４】
なお、以上述べた実施形態は本発明を説明するための一例であって、本発明の本旨を逸脱しない範囲内において上記の実施形態には種々の変更を加え得る。例えば、デスク集合体１を形成するデスク１ａが幅方向に複数台連設されていても良いのは勿論である。図１
３は、デスク集合体１のレイアウトを例示する図である、デスク集合体１の上面を表している。図１３に示すように、背面を突き合わせた一組のデスク群を幅方向に複数組み連設してデスク集合体１を形成しても良い。例えば図示のようにデスク集合体１の一側端にディスプレイ用スタンド２０を設置する場合、デスク集合体１の他端側の領域においては背中合わせに配置されるデスク１ａの背面位置に正面パネルＰを天板上に立設することで、個々のワークスペースとしての機能の拡充を図るようにしても良い。一方、ディスプレイ９を保持したディスプレイ用スタンド２０が設置されるデスク集合体１の一側端の領域においては、個々のワークスペースとしての役割の他、打ち合わせスペースとしても利用するため、対向する一組のデスク１ａの間に正面パネルＰを設けないようにすることで、共用スペースとしての機能の拡充を図ることができる。
【００５５】
また、ディスプレイ用スタンド２０は、デスクやデスク集合体の一側端に限られず、両側端に設置しても良い。また、デスクやデスク集合体は、本発明に係るディスプレイ用スタンド２０が適用される天板付き家具の一例であって、これらの他、テーブルやカウンター等、あらゆる天板付き家具における天板の側方端部にディスプレイ用スタンド２０を取り付けることができる。以上、本発明の好適な実施形態を説明したが、本発明に係るディスプレイ用スタンドはこれらに限らず、可能な限りこれらの組み合わせを含むことができる。
【符号の説明】
【００５６】
１・・・デスク集合体
１ａ・・・デスク
２・・・脚
５・・・天板
９・・・ディスプレイ
１０・・・カバーユニット
２０・・・ディスプレイ用スタンド
３０・・・フレーム部材
３０Ａ・・・ヘッド部
３０Ｂ・・・フレームロア部
４０・・・垂直支持部材
【図１】
0005779335.tif 000002
【図２】
0005779335.tif 000003
【図３】
0005779335.tif 000004
【図４】
0005779335.tif 000005
【図５】
0005779335.tif 000006
【図６】
0005779335.tif 000007
【図７】
0005779335.tif 000008
【図８】
0005779335.tif 000009
【図９】
0005779335.tif 000010
【図１０】
0005779335.tif 000011
【図１１】
0005779335.tif 000012
【図１２】
0005779335.tif 000013
【図１３】
0005779335.tif 000014